(57)【要約】【課題】　複数の撮像装置を用いた遠隔カメラシステムにおいて、各撮像装置が取得した画像データの保管先を容易に探し出せるようにする。【解決手段】　デジタルカメラ１Ａをマスターカメラ、デジタルカメラ１Ｂ，１Ｃ，１Ｄをスレーブカメラに設定し、デジタルカメラ１Ａの撮影動作によりデジタルカメラ１Ｂ，１Ｃ，１Ｄにおいても撮影を行う。撮影により取得された画像データの保管先を各カメラ１Ａ〜１Ｄにおいて予め設定しておく。保管先としてカメラサーバ２が設定されている場合、各デジタルカメラ１Ａ〜１Ｄにおいて撮影により取得された画像データはカメラサーバ２に送信され、ここで保管される。【選択図】　　　　　図１
2004140796.tif 000002
【特許請求の範囲】
【請求項１】
　複数の撮像装置をネットワークを介して連携させて操作して画像データを取得する撮像装置制御方法において、
　前記複数の撮像装置のそれぞれにおいて、取得された前記画像データの保管先の設定を受け付け、
　該設定された保管先に前記複数の撮像装置のそれぞれにおいて取得された前記画像データを保管することを特徴とする撮像装置制御方法。
【請求項２】
　前記保管先として、前記複数の撮像装置のうちの一の撮像装置を含むことを特徴とする請求項１記載の撮像装置制御方法。
【請求項３】
　前記保管先に前記画像データを保管できない場合には、前記保管先の変更を受け付けることを特徴とする請求項１または２記載の撮像装置制御方法。
【請求項４】
　複数の撮像装置をネットワークを介して連携させて操作して画像データを取得する撮像装置制御装置において、
　前記複数の撮像装置のそれぞれにおいて、取得された前記画像データの保管先の設定を受け付ける設定手段と、
　該設定された保管先に前記複数の撮像装置のそれぞれにおいて取得された前記画像データを保管する保管手段とを備え、前記複数の撮像装置にそれぞれ設けられてなることを特徴とする撮像装置制御装置。
【請求項５】
　前記保管先として、前記複数の撮像装置のうちの一の撮像装置を含むことを特徴とする請求項４記載の撮像装置制御装置。
【請求項６】
　前記設定手段は、前記保管先に該画像データを保管できない場合には、前記保管先の変更を受け付ける手段であることを特徴とする請求項４または５記載の撮像装置制御装置。
【請求項７】
　複数の撮像装置をネットワークを介して連携させて操作して画像データを取得する撮像装置制御方法をコンピュータに実行させるためのプログラムにおいて、
　前記複数の撮像装置のそれぞれにおいて、取得された前記画像データの保管先の設定を受け付ける手順と、
　該設定された保管先に前記複数の撮像装置のそれぞれにおいて取得された前記画像データを保管する手順とを有するプログラム。
【請求項８】
　前記保管先として、前記複数の撮像装置のうちの一の撮像装置を含む請求項７記載のプログラム。
【請求項９】
　前記保管先に前記画像データを保管できない場合には、前記保管先の変更を受け付ける手順をさらに有する請求項７または８記載のプログラム。
【発明の詳細な説明】
【技術分野】
【０００１】
　本発明は、例えば無線ＬＡＮのようなネットワークを介して接続された複数の撮像装置の動作を制御する撮像装置制御方法および装置並びに撮像装置制御方法をコンピュータに実行させるためのプログラムに関するものである。
【背景技術】
【０００２】
　遠隔地に設置されたカメラの映像をネットワークを介して鑑賞できるようにする遠隔カメラシステムが提案されている。このような遠隔カメラシステムは、単にカメラの映像を見ることができるだけでなく、カメラの向きやズーム倍率をも遠隔地から操作することができるものである。また、このような遠隔カメラシステムにおいて、１つのカメラから複数のカメラの動作を制御する方法も提案されている（例えば特許文献１参照）。
【特許文献１】特開２０００−１１３１６６号公報
【発明の開示】
【発明が解決しようとする課題】
【０００３】
　ところで、上記遠隔カメラシステムを、デジタルカメラに適用することも可能である。具体的には、複数のユーザの各々がデジタルカメラを所持している場合に、一のユーザがデジタルカメラを用いて撮影を行うと、他のユーザのデジタルカメラにおいても同時にあるいは連続して撮影を行わせることも可能である。このように、複数のデジタルカメラを連携させて操作することにより、様々なアングルから１つの被写体を同時に撮影することが可能となり、撮影の楽しみを広げることができる。また、複数のカメラによりそれぞれ取得された画像データを保管することにより、画像データの配布や画像データを用いてのアルバム作成等を容易に行うことが可能となる。
【０００４】
　しかしながら、上記遠隔カメラシステムにおいては、複数のカメラのそれぞれにおいて画像データが取得されるため、画像データの保管先を決めておかないと、どこにどのカメラにより取得された画像データが保管されているのか分からなくなり、その結果、画像データの配布やアルバムの作成等画像データを利用する場合に、画像データを探し出すのが困難となってしまう。
【０００５】
　本発明は上記事情に鑑みなされたものであり、保管された画像データを容易に探し出せるようにすることを目的とする。
【課題を解決するための手段】
【０００６】
　本発明による撮像装置制御方法は、複数の撮像装置をネットワークを介して連携させて操作して画像データを取得する撮像装置制御方法において、
　前記複数の撮像装置のそれぞれにおいて、取得された前記画像データの保管先の設定を受け付け、
　該設定された保管先に前記複数の撮像装置のそれぞれにおいて取得された前記画像データを保管することを特徴とするものである。
【０００７】
　「撮像装置」とは、被写体を撮影することにより被写体の画像を表すデジタルの画像データを取得する撮影専用のデジタルカメラのみならず、携帯電話やＰＤＡ等の通信機能を有する携帯端末装置に搭載されるデジタルカメラをも含む。
【０００８】
　保管先としては、自身の撮像装置、他の撮像装置および画像データを管理するサーバ等を用いることができ、さらに保管先は１箇所のみならず複数箇所でもよいものである。
【０００９】
　なお、本発明による撮像装置制御方法においては、前記保管先として、前記複数の撮像装置のうちの一の撮像装置を含むようにしてもよい。
【００１０】
　また、本発明による撮像装置制御方法においては、前記保管先に前記画像データを保管できない場合には、前記保管先の変更を受け付けるようにしてもよい。
【００１１】
　「画像データを保管できない」とは、保管先が物理的に破壊している、保管先が稼働していない、ネットワークが不通である、保管先の空き容量が少ないまたはない等の理由により、その保管先に画像データを保管しようとしても保管できない状態を言う。
【００１２】
　本発明による撮像装置制御装置は、複数の撮像装置をネットワークを介して連携させて操作して画像データを取得する撮像装置制御装置において、
　前記複数の撮像装置のそれぞれにおいて、取得された前記画像データの保管先の設定を受け付ける設定手段と、
　該設定された保管先に前記複数の撮像装置のそれぞれにおいて取得された前記画像データを保管する保管手段とを備え、前記複数の撮像装置にそれぞれ設けられてなることを特徴とするものである。
【００１３】
　なお、本発明による撮像装置制御装置においては、前記保管先として、前記複数の撮像装置のうちの一の撮像装置を含むようにしてもよい。
【００１４】
　また、本発明による撮像装置制御装置においては、前記設定手段を、前記保管先に前記画像データを保管できない場合には、前記保管先の変更を受け付ける手段としてもよい。
【００１５】
　なお、本発明による撮像装置制御方法をコンピュータに実行させるためのプログラムとして提供してもよい。
【発明の効果】
【００１６】
　本発明によれば、複数の撮像装置のそれぞれにおいて、取得された画像データの保管先の設定を受け付け、設定された保管先に複数の撮像装置のそれぞれにおいて取得された画像データを保管するようにしたため、複数の撮像装置のそれぞれにおいて取得された画像データの保管先を明確にすることができる。したがって、後から画像データを配布等する際に、容易に画像データを探し出すことができ、その結果、保管後の画像データの利用を容易に行うことができる。
【００１７】
　また、保管先として複数の撮像装置のうちの一の撮像装置を含むようにすれば、その一の撮像装置に複数の撮像装置において取得された画像データが保管されるため、その撮像装置において画像データの管理を容易に行うことができる。
【００１８】
　また、保管先に画像データを保管できない場合には、保管先の変更を受け付けることにより、画像データが保管できないという事態を回避することができる。
【発明を実施するための最良の形態】
【００１９】
　以下図面を参照して本発明の実施形態について説明する。図１は本発明の実施形態による撮像装置制御装置を用いた遠隔カメラシステムの構成を示す概略ブロック図である。図１に示すように、本実施形態による遠隔カメラシステムは、複数（ここでは４台）のデジタルカメラ１Ａ，１Ｂ，１Ｃ，１Ｄおよびカメラサーバ２がネットワーク３により接続されてなり、デジタルカメラ１Ａ〜１Ｄにおいて取得した画像データを、カメラサーバ２またはデジタルカメラ１Ａ〜１Ｄのうち設定された１または複数の保管先において保管および管理するものである。なお、本実施形態においては、ネットワーク３は無線ＬＡＮを用いるものとするが、デジタルカメラ１Ａ〜１Ｄを互いに遠隔操作できるものであれば、いかなるネットワークを用いてもよい。
【００２０】
　本実施形態においては、デジタルカメラ１Ａをマスターカメラ、デジタルカメラ１Ｂ，１Ｃ，１Ｄをスレーブカメラと設定し、デジタルカメラ１Ａにおいて撮影動作を行うと、これと同時にデジタルカメラ１Ｂ，１Ｃ，１Ｄにおいて撮影を行うように、デジタルカメラ１Ｂ，１Ｃ，１Ｄの動作が制御されるものとする。
【００２１】
　なお、マスターカメラに設定されたデジタルカメラ１Ａは、デジタルカメラ１Ｂ，１Ｃ，１Ｄに撮影を行わせることなく単独で撮影を行うことが可能である。また、スレーブカメラに設定されたデジタルカメラ１Ｂ，１Ｃ，１Ｄは、デジタルカメラ１Ａからの撮影指示を受けることなく、単独で撮影を行うことが可能である。ここで、各デジタルカメラ１Ａ〜１Ｄが単独で撮影することにより取得した画像データは、カメラサーバ２に送信してもよいが、各デジタルカメラ１Ａ〜１Ｄのメモリカード（不図示）に保管しておいてもよい。この設定は後述する保管先選択メニューにより行われる。
【００２２】
　図２はデジタルカメラ１Ａの構成を示す背面斜視図である。なお、デジタルカメラ１Ｂ，１Ｃ，１Ｄはデジタルカメラ１Ａと同一の構成を有するため説明を省略する。図２に示すようにデジタルカメラ１Ａは、撮影しようとしている画像やメニュー等の種々の表示を行うモニタ１１と、シャッタボタン１２と、無線ＬＡＮによる通信を行う無線ＬＡＮチップ１３と、保管先の設定等種々の入力を行う十字キー１４Ａを含む入力手段１４と、音声出力を行うスピーカ１５とを備えてなる。また、デジタルカメラ１Ａの内部には、シャッタボタン１２の半押し動作により、撮影通知情報をデジタルカメラ１Ｂ，１Ｃ，１Ｄに送信する撮影通知手段１６を備える。
【００２３】
　モニタ１１には、デジタルカメラ１Ａ自身が撮影しようとしている画像およびデジタルカメラ１Ｂ，１Ｃ，１Ｄが撮影しようとしている画像の双方が表示される。図３は、モニタ１１に表示される画像を示す図である。図３に示すように、モニタ１１には、デジタルカメラ１Ａが撮影しようとする画像を表示するウィンドウ１１Ａおよびデジタルカメラ１Ｂ，１Ｃ，１Ｄが撮影しようとする画像を表示するウィンドウ１１Ｂ，１１Ｃ，１１Ｄが表示される。なお、図３に示すようにウィンドウ１１Ａはデジタルカメラ１Ａが撮影しようとする画像であるため、他のウィンドウ１１Ｂ，１１Ｃ，１１Ｄと比較してサイズが大きいものとなっている。
【００２４】
　ここで、他のウィンドウ１１Ｂ，１１Ｃ，１１Ｄはウィンドウ１１Ａと比較してサイズが小さいため、表示された画像が見にくい場合がある。このため、ウィンドウ１１Ｂ，１１Ｃ，１１Ｄには、撮影しようとする画像の中心部分のみを表示してもよい。また、入力手段１４により選択したウィンドウ１１Ｂ，１１Ｃ，１１Ｄを拡大してモニタ１１に表示してもよい。
【００２５】
　また、図４に示すように、デジタルカメラの数に応じて単にモニタ１１の画面を分割して、各デジタルカメラ１Ａ〜１Ｄにおいて撮影しようとする画像を表示してもよい。
【００２６】
　シャッタボタン１２は、半押し動作によりフォーカスおよび測光を行い、全押し動作によりシャッタを駆動して撮影を行うものである。ここで、本実施形態においては、シャッタボタン１２の半押し動作により、撮影通知手段１６が駆動され、無線ＬＡＮチップ１３からネットワーク３経由で、デジタルカメラ１Ｂ，１Ｃ，１Ｄに対して撮影通知情報が送信される。撮影通知情報はこれから撮影が行われることをデジタルカメラ１Ｂ，１Ｃ，１Ｄに通知するための情報であり、デジタルカメラ１Ｂ，１Ｃ，１Ｄは、撮影通知情報に基づいてデジタルカメラ１Ｂ，１Ｃ，１Ｄのユーザに撮影通知を行う。
【００２７】
　具体的には、チャイム音、ビープ音、「撮影します」、「カメラを構えて下さい」の音声をデジタルカメラ１Ｂ，１Ｃ，１Ｄのスピーカ１５から出力させることにより撮影通知を行えばよい。また、デジタルカメラ１Ｂ，１Ｃ，１Ｄのモニタ１１に、「撮影します」、「カメラを構えて下さい」等のメッセージを表示して撮影通知を行ってもよく、メッセージと音声とを組み合わせて撮影通知を行ってもよい。さらには、モニタ１１自体を点滅させたり、モニタ１１の表示色を反転させたり、カメラ自体を振動させる等して撮影通知を行ってもよい。
【００２８】
　そしてこのように撮影通知が行われた後、デジタルカメラ１Ａのシャッタボタン１２を全押しすることにより、デジタルカメラ１Ａにおいて撮影が行われるとともに、デジタルカメラ１Ｂ，１Ｃ，１Ｄにおいても同時に撮影が行われる。なお、撮影のタイミングは同時のみならず、一定時間遅延させて、順次デジタルカメラ１Ｂ，１Ｃ，１Ｄにおいて連続した撮影を行わせるものであってもよい。
【００２９】
　無線ＬＡＮチップ１３は、無線ＬＡＮによるネットワーク３経由の通信を行うためのものであり、通信に必要な認証情報を記憶するメモリ、通信インターフェース等を備えてなるものである。
【００３０】
　本実施形態においては、入力手段１４によりデジタルカメラ１Ａ〜１Ｄが取得した画像データの保管先を設定する。具体的には、モニタ１１に保管先を指定させるためのメニューを表示し、このメニューにおいてユーザが保管先を選択することにより保管先が設定される。図５はモニタ１１に表示された保管先選択メニューを示す図である。図５に示すように、ここでは「カメラサーバ」、「マスターカメラ」（すなわちデジタルカメラ１Ａ）および「自身」のデジタルカメラの３つの保管先が保管先選択メニューに表示される。デジタルカメラ１Ａ〜１Ｄのユーザは、保管先選択メニューにおいて画像データの保管先を少なくとも１つ指定することができる。
【００３１】
　ここで、マスターカメラであるデジタルカメラ１Ａの撮影動作により、スレーブカメラであるデジタルカメラ１Ｂ，１Ｃ，１Ｄにおいても同時に撮影を行う場合、および各デジタルカメラ１Ａ〜１Ｄにおいて単独で撮影を行う場合で保管先を別個に設定することが可能である。前者の場合、マスターカメラであるデジタルカメラ１Ａにおいては、カメラサーバ２および／または自身のデジタルカメラを、スレーブカメラであるデジタルカメラ１Ｂ，１Ｃ，１Ｄにおいては、カメラサーバ２、デジタルカメラ１Ａおよび／または自身のデジタルカメラを保管先に設定すればよい。なお、自身のデジタルカメラを保管先に設定した場合には、カメラサーバ２またはデジタルカメラ１Ａは、どの画像データがどのデジタルカメラに保管されているかを管理する必要がある。
【００３２】
　一方、後者の場合、いずれのデジタルカメラ１Ａ〜１Ｄにおいても、自身のデジタルカメラを保管先として設定すればよい。
【００３３】
　なお、本実施形態においては、全てのデジタルカメラ１Ａ〜１Ｄにおいてカメラサーバ２を画像データの保管先として設定したものとする。
【００３４】
　カメラサーバ２は、デジタルカメラ１Ａ〜１Ｄにおいて取得された画像データを保管および管理するためのものであり、大容量のハードディスク２Ａを備えてなる。すなわち、デジタルカメラ１Ａが撮影を行うことにより、デジタルカメラ１Ｂ，１Ｃ，１Ｄにおいて撮影が行われて、各デジタルカメラ１Ａ〜１Ｄにおいて同時に４つの画像データが取得されるが、本実施形態においては、全てのデジタルカメラ１Ａ〜１Ｄにおいて画像データの保管先がカメラサーバ２に設定されているため、各デジタルカメラ１Ａ〜１Ｄからは画像データがカメラサーバ２に送信されて、ここで画像データが保管される。
【００３５】
　また、カメラサーバ２は、遠隔操作が行われるデジタルカメラ１Ａ〜１Ｄの機種、カメラを識別するＩＤ、マスターカメラかスレーブカメラであるかの情報を管理する。また、本実施形態においては、１度の撮影により４つの画像データがカメラサーバ２に送信されるが、カメラサーバ２は重複しないようにファイル名を画像データに付与して画像データを保管する。また、保管される画像データがいずれのデジタルカメラ１Ａ〜１Ｄにおいて取得されたものであるかが分かるように、画像データを管理する。
【００３６】
　なお、マスターカメラであるデジタルカメラ１Ａの撮影動作により、スレーブカメラであるデジタルカメラ１Ｂ，１Ｃ，１Ｄにおいても同時に撮影を行う場合において、画像データの保管先が全てのデジタルカメラ１Ａ〜１Ｄにおいて自身のデジタルカメラと設定された場合には、カメラサーバ２には画像データは保管されないが、画像データを管理するための情報がカメラサーバ２において管理されることとなる。このため、この情報を参照することによりいずれのデジタルカメラ１Ａ〜１Ｄにより取得された画像データがどのデジタルカメラ１Ａ〜１Ｄに保管されているかを容易に知ることができる。
【００３７】
　次いで、本実施形態において行われる処理について説明する。図６は、本実施形態において、保管先の設定時に行われる処理を示すフローチャートである。なお、いずれのデジタルカメラ１Ａ〜１Ｄにおいても保管先の変更時に行われる処理は同一である。
【００３８】
　まず、保管先選択メニューがモニタ１１に表示される（ステップＳ１）。続いて、保管先の選択が受け付けられたか否かの監視が開始され（ステップＳ２）、ステップＳ２が肯定されると、選択された保管先が画像データの保管先として設定され（ステップＳ３）、処理を終了する。
【００３９】
　図７は、本実施形態において画像データの保管時に行われる処理を示すフローチャートである。まず、マスターカメラであるデジタルカメラ１Ａにより、シャッタボタン１２が全押しされて撮影指示がなされたか否かが監視されており（ステップＳ１１）、ステップＳ１１が肯定されると、デジタルカメラ１Ａにより撮影が行われ（ステップＳ１２）、撮影により取得された画像データの保管先が確認され（ステップＳ１３）、画像データが確認された保管先（本実施形態においてはカメラサーバ２）に送信される（ステップＳ１４）。
【００４０】
　これと同時に、他のデジタルカメラ１Ｂ，１Ｃ，１Ｄにより撮影が行われ（ステップＳ１５）、撮影により取得された画像データの保管先が確認され（ステップＳ１６）、画像データが確認された保管先であるカメラサーバ２に送信される（ステップＳ１７）。
【００４１】
　そして、カメラサーバ２においては、画像データが受信され（ステップＳ１８）、受信された画像データが保管され（ステップＳ１９）、処理を終了する。
【００４２】
　なお、デジタルカメラ１Ａにおいて、保管先として自身のデジタルカメラが設定されている場合には、デジタルカメラ１Ａのメモリカード（不図示）に撮影により取得した画像データが保管される。一方、デジタルカメラ１Ｂ，１Ｃ，１Ｄにおいて、保管先として自身のデジタルカメラが設定されている場合には、デジタルカメラ１Ｂ，１Ｃ，１Ｄのメモリカード（不図示）に撮影により取得された画像データが保管される。この場合、カメラサーバ２においては、画像データの保管先の管理が行われる。
【００４３】
　また、一方、デジタルカメラ１Ｂ，１Ｃ，１Ｄにおいて、保管先としてデジタルカメラ１Ａが設定されている場合には、撮影により取得された画像データがデジタルカメラ１Ａに送信されて、デジタルカメラ１Ａにおいて保管される。
【００４４】
　このように、本実施形態においては、デジタルカメラ１Ａ〜１Ｄにより取得された画像データの保管先を設定し、デジタルカメラ１Ａ〜１Ｄのそれぞれにおいて取得された画像データをその保管先に保管するようにしたため、デジタルカメラ１Ａ〜１Ｄにより取得された画像データの保管先を明確にすることができる。したがって、後から画像データを配布等する際に、容易に画像データを探し出すことができ、その結果、保管後の画像データの利用を容易に行うことができる。
【００４５】
　なお、保管先としてマスターカメラであるデジタルカメラ１Ａを含むようにすれば、デジタルカメラ１Ａに他のデジタルカメラ１Ｂ，１Ｃ，１Ｄにおいて取得された画像データが保管されるため、デジタルカメラ１Ａにおいて画像データの管理を容易に行うことができる。
【００４６】
　ここで、上記実施形態においては、デジタルカメラ１Ａ〜１Ｄにより取得された画像データをカメラサーバ２に送信しているが、カメラサーバ２の空き容量が少ないまたはない場合には、画像データをカメラサーバ２に送信しても画像データを保管できない。また、カメラサーバ２が破壊した、カメラサーバ２と接続するネットワーク３が不通となっている等の場合にも画像データをカメラサーバ２に保管できない。このような場合には、デジタルカメラ１Ａ〜１Ｄにおいて、保管先の変更を受け付けるようにすればよい。以下、保管先の変更時に行われる処理について説明する。なお、いずれのデジタルカメラ１Ａ〜１Ｄにおいても保管先の変更時に行われる処理は同一である。
【００４７】
　図８は、保管先の変更時に行われる処理を示すフローチャートである。まず、シャッタボタン１２が全押しされて撮影指示がなされたか否かが監視されており（ステップＳ２１）、ステップＳ２１が肯定されると撮影が行われ（ステップＳ２２）、撮影により取得された画像データの保管先が確認され（ステップＳ２３）、さらに確認された保管先が保管可能であるか否かが判定される（ステップＳ２４）。この判定は、保管先の空き容量や保管先との通信状態を確認することにより行われる。
【００４８】
　ステップＳ２４が肯定されると、画像データが確認された保管先であるカメラサーバ２に送信され（ステップＳ２５）、処理を終了する。
【００４９】
　ステップＳ２４が否定されると、図５に示す保管先選択メニューがモニタ１１に表示される（ステップＳ２６）。続いて、別の保管先が選択されたか否かの監視が開始され（ステップＳ２７）、ステップＳ２７が肯定されるとステップＳ２４に戻り、それ以降の処理が繰り返される。
【００５０】
　このように、保管先に画像データを保管できない場合には、保管先の変更を受け付けることにより、画像データが保管できないという事態を回避することができる。
【００５１】
　なお、上記実施形態においては、カメラサーバ２においてデジタルカメラ１Ａ〜１Ｄにより取得された画像データを保管しているが、カメラサーバ２を設けることなく、マスターカメラであるデジタルカメラ１Ａにおいて、自身が取得した画像データおよび他のデジタルカメラ１Ｂ，１Ｃ，１Ｄが取得した画像データを保管してもよい。この場合、デジタルカメラ１Ｂ，１Ｃ，１Ｄからは、保管先がデジタルカメラ１Ａに設定され、デジタルカメラ１Ａに直接画像データが送信される。なお、この場合、デジタルカメラ１Ａ〜１Ｄ間の通信は、図９に示すように、デジタルカメラ１Ａ〜１Ｄ同士で直接データのやりとりを行うピア・ツー・ピア通信方式を用いればよい。なお、ピア・ツー・ピア通信方式においては、デジタルカメラ１Ａ〜１Ｄ間のデータ転送は、データを発信するデジタルカメラから送信先のデジタルカメラへ向けて直接情報パケットを転送することにより行われる。
【００５２】
　また、任意の１のスレーブカメラに、他のスレーブカメラおよびマスターカメラであるデジタルカメラ１Ａから画像データを直接送信し、その１のスレーブカメラにおいて画像データを保管してもよい。この場合、他のスレーブカメラおよびマスターカメラであるデジタルカメラ１Ａにおいては、保管先として１のスレーブカメラが設定される。
【００５３】
　また、上記実施形態において、マスターカメラおよびスレーブカメラの関係を各デジタルカメラ１Ａ〜１Ｄにおいて任意に切り替えられるようにしてもよい。
【００５４】
　また、上記実施形態においては、デジタルカメラ１Ａ〜１Ｄを用いた遠隔カメラシステムについて説明しているが、携帯電話、ＰＤＡ等のカメラ付きの携帯端末装置を用いて遠隔カメラシステムを構成することも可能である。この場合、カメラ付きの携帯端末装置とデジタルカメラとが混在したシステムであってもよい。なお、カメラ付き携帯端末装置はデジタルカメラ１Ａ〜１Ｄとは異なり、専用のシャッタボタンを含む撮影のための各種操作を行うための専用のボタンが設けられず、携帯端末装置の操作ボタンが撮影のための各種操作を行うボタンを兼用してなるものである。
【図面の簡単な説明】
【００５５】
【図１】本発明の実施形態による撮像装置制御装置を用いた遠隔カメラシステムの構成を示す概略ブロック図
【図２】デジタルカメラの構成を示す背面斜視図
【図３】モニタに表示される画像を示す図
【図４】デジタルカメラの数に応じて分割されたモニタの画面を示す図
【図５】保管先選択メニューを示す図
【図６】本実施形態において保管先の設定時に行われる処理を示すフローチャート
【図７】本実施形態において画像データの保管時に行われる処理を示すフローチャート
【図８】本発明の他の実施形態において行われる処理を示すフローチャート
【図９】ピア・ツー・ピアの通信方式を説明するための図
【符号の説明】
【００５６】
　　　１Ａ〜１Ｄ　　デジタルカメラ
　　　２　　カメラサーバ
　　　３　　ネットワーク
　　　１１　　モニタ
　　　１２　　シャッタボタン
　　　１３　　無線ＬＡＮチップ
　　　１４　　入力手段
　　　１５　　スピーカ
　　　１６　　撮影通知手段
【図１】
2004140796.tif 000003
【図２】
2004140796.tif 000004
【図３】
2004140796.tif 000005
【図４】
2004140796.tif 000006
【図５】
2004140796.tif 000007
【図６】
2004140796.tif 000008
【図７】
2004140796.tif 000009
【図８】
2004140796.tif 000010
【図９】
2004140796.tif 000011